(57)【要約】【課題】香りの強さや香りの種類の変更が可能で、しかも未使用保管期間中の香りの低下がない香り付きの衛生物品収納体を提供する。【解決手段】  衛生物品を収納する収納箱に押し込み部を形成し、その押し込み部の収納箱内面側にハーフスリットを形成した保護層と香料層と香料バリア層とを有するフィルムを、前記保護層を収納箱内面側にして貼付した、衛生物品収納体により解決される。【選択図】図４
2014198591.tif 000002
【特許請求の範囲】
【請求項１】
収納箱内に衛生物品が収納されている衛生物品収納体であって、
前記収納箱に収納箱内へと押し込まれる押し込み部が形成され、その押し込み部の収納箱内面側にフィルムが貼付され、
そのフィルムが、収納箱内面側に位置する保護層と香料の揮散を防止する香料バリア層との間に香料を含む基材層が介在され、その保護層に基材層に至るハーフスリットが形成された芳香フィルムであり、
前記押し込み部の押し込みによって前記フィルムのハーフスリットが開くように形成されている、ことを特徴とする衛生物品収納体。
【請求項２】
前記保護層が、香料の揮散を抑制する香料弱透過層である、請求項１記載の衛生物品収納体。
【請求項３】
二つ以上の押し込み部を有し、少なくとも二つの押し込み部の箱内面側に位置される芳香フィルムの香料が異なっている請求項１又は２記載の衛生物品収納体。
【請求項４】
前記収納箱が、取出口形成用ミシン目線を切り裂くことにより形成される取出口を有する箱体と、その取出口の範囲を包含するように箱体に貼られたシート材と、取出口の長手方向に沿ってシート材に形成されたスリットとを有するものであり、その収納箱内に収められる衛生物品が、複数のティシュペーパーであり、そのティシュペーパーが折畳み重ねたティシュペーパー束として収納されている、請求項１〜３の衛生物品収納体。
【発明の詳細な説明】
【技術分野】
【０００１】
本発明は、ティシュペーパー、化粧用パフ等の衛生物品が収納箱に収納された衛生物品収納体に関する。
【背景技術】
【０００２】
ティシュペーパーなどの衛生物品の中には、香り付きの衛生物品がある。このような衛生物品は、ティシュペーパーや化粧用パフなどの物品自体に香料や香料をマイクロカプセル化して付与した製品や、収納箱に形成された取出口に貼られたシート材に香料を付与した製品が提案されている。
【０００３】
しかし、前者のものは、香り付きの衛生物品を製造するにあたり製造設備全体に香料が付着するため、香料のロスが大きく製造コストが高くなるとともに、香り付きの衛生物品以外の衛生物品を製造する際のライン切り替えに手間がかかり、生産性が低下する問題があった。
【０００４】
また、前者のものも後者のものも、保管期間中に香料が収納箱に吸収されたり、透過して揮散したりしてしまうことがあり、使用開始時に十分な香りが得られないことがあった。特に保管期間中に外気温が高くなると使用開始時に香りが感じられなくなることが顕著となる。
【０００５】
一方、この種の香り付きの製品においては、好みや気分に応じて香りの種類や香りの強さを調整したいという消費者の要望があるものの、従来製品は付与された単一の香りに限定されており、係る消費者の要望に応えられるものではなかった。
【先行技術文献】
【特許文献】
【０００６】
【特許文献１】特開２００７−２５４００５
【特許文献２】特開２０１０−１７９９４６
【特許文献３】特開２０１０−１７３７２９
【発明の概要】
【発明が解決しようとする課題】
【０００７】
そこで、本発明の主たる課題は、保管期間が長くとも使用開始時に香りが十分に感じられ、しかも、香りの持続性に優れるとともに、使用者が香りの強さを調整したり、香りを変更したりすることができる、衛生物品収納体を提供することにある。
【課題を解決するための手段】
【０００８】
上記課題を解決した本発明は以下のとおりである。
〔請求項１記載の発明〕
収納箱内に衛生物品が収納されている衛生物品収納体であって、
前記収納箱に収納箱内へと押し込まれる押し込み部が形成され、その押し込み部の収納箱内面側にフィルムが貼付され、
そのフィルムが、収納箱内面側に位置する保護層と香料の揮散を防止する香料バリア層との間に香料を含む基材層が介在され、その保護層に基材層に至るハーフスリットが形成された芳香フィルムであり、
前記押し込み部の押し込みによって前記フィルムのハーフスリットが開くように形成されている、ことを特徴とする衛生物品収納体。
【０００９】
〔請求項２記載の発明〕
前記保護層が、香料の揮散を抑制する香料弱透過層である、請求項１記載の衛生物品収納体。
【００１０】
〔請求項３記載の発明〕
二つ以上の押し込み部を有し、少なくとも二つの押し込み部の箱内面側に位置される芳香フィルムの香料が異なっている請求項１又は２記載の衛生物品収納体。
【００１１】
〔請求項４記載の発明〕
前記収納箱が、取出口形成用ミシン目線を切り裂くことにより形成される取出口を有する箱体と、その取出口の範囲を包含するように箱体に貼られたシート材と、取出口の長手方向に沿ってシート材に形成されたスリットとを有するものであり、その収納箱内に収められる衛生物品が、複数のティシュペーパーであり、そのティシュペーパーが折畳み重ねたティシュペーパー束として収納されている、請求項１〜３の衛生物品収納体。
【発明の効果】
【００１２】
以上の本発明によれば、保管期間が長くとも使用開始時に香りが十分に感じられ、しかも、香りの持続性に優れるとともに、使用者が香りの強さを調整したり、香りを変更したりすることができる、衛生物品収納体が提供される。
【図面の簡単な説明】
【００１３】
【図１】本発明の実施形態のティシュペーパー製品の斜視図である。
【図２】本発明の実施形態の収納箱の展開図である。
【図３】本発明の実施形態のティシュペーパー製品の構造を説明するための斜視図である。
【図４】本発明の実施形態の他のティシュペーパー製品の斜視図である。
【図５】図２のＸ部分を模式的に拡大した図であり、本発明の実施形態の押し込み部と芳香フィルムとを説明するための図である。
【図６】本発明の実施形態の押し込み部と芳香フィルムとを説明するための他の図である。
【図７】本発明の実施形態の押し込み部と芳香フィルムとを説明するための別の図である。
【図８】本発明の実施形態のティシュペーパー製品の使用時の斜視図である。
【発明を実施するための形態】
【００１４】
本発明の実施の形態を図１〜８を参照しながら、衛生物品をティシュペーパーとして、これを収納箱に収めたティシュペーパー製品１００を例にして説明する。但し、本発明は、この実施形態に限定されない。
【００１５】
本実施形態に係るティシュペーパー製品１００は、複数枚のティシュペーパー２ｔ，２ｔ…が、折畳み重ねられたティシュペーパー束２が、上面１１に形成された取出口形成用ミシン目線２０を有する収納箱１に収納されており、前記取出口形成用ミシン目線２０を切り裂いて形成される取出口２０Ｘからティシュペーパー２ｔを取り出して使用するものである。
【００１６】
図示の形態に係る収納箱１は、直六面体形状の製品外観をなすものであり、上面１１に取出口２０Ｘを形成するための取出口形成用ミシン目線２０を有する箱体１０と、前記取出口形成用ミシン目線２０により囲まれる範囲２０ａを箱体内１１ｉ側から覆うシート材３０とで構成されている。
【００１７】
箱体１０は、収納箱１の外郭をなすものであり、その大きさ、外観形状、展開形状等は既知の収納箱の箱体の構成が採用される。ティシュペーパー製品１００であれば、一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。箱体１０は内面や外面に適宜の印刷が施されていても良い。
【００１８】
また、箱体１０の基材としては、バージンパルプ、古紙パルプ等の各種のパルプを主原料とする既知の紙素材や紙加工素材、ポリプロピレン、ポリスチレン、ポリスチレンテレフタレート等の各種のプラスチック素材、シリコン等のゴム素材が採用できる。好適な箱体１０の素材は、米坪２５０〜５００ｇ／ｍ2のコートボール紙である。なお、本発明に係る米坪とは、ＪＩＳ Ｐ ８１２４（１９９８）の米坪測定方法によるものである。
【００１９】
図示の箱体１０の組立て構造は、図２、図３に示すように、底面１２と一方の長側面１３Ｂを糊代部１２Ａで糊付けして筒状とした後、上面１１、底面１２及びこれらを連接する長側面１３Ａ，１３Ｂから延出する各フラップＦ，Ｆ…を箱内面側に折り返し、各フラップＦ，Ｆ…の当接部分をホットメルト接着剤等により接着して短側面１４を構成した構造となっている。但し、本発明の箱体１０は、この組立て構造に限定されるわけではない。
【００２０】
他方、本実施形態に係る箱体１０において上面に形成される取出口形成用ミシン目線２０は環状をなすもので、そのカットタイ比は適宜の値とすることができる。取出口形成用ミシン目線２０は、通常のミシン目線の他、二重ミシン目線、ジッパーミシン目線等で構成することができる。一部分のみ二重ミシン目線としてもよい。
【００２１】
本実施形態に係る取出口形成用ミシン目線２０は、紙箱長手方向に延在する長辺２１，２１とこの長辺２１，２１の端同士を繋ぐ短手縁に平行な短辺２２，２２とを有し、その取出口形成用ミシン目線２０に囲まれる範囲２０ａの形状が、収納箱１の長手方向に沿う方向が長い適宜の形状となっている。一般的には、収納箱１の長手方向に沿うやや細長い角取り矩形、或いはその矩形の長辺２１，２１の中央部を外方に向かってやや膨張させてアーチ状とし、楕円に近い形状としたものである。図示の形態は後者の例である。本実施形態に係る取出口２０Ｘは、取出口形成用ミシン目線２０の裂開により形成されるものであるから、その取出口２０Ｘの形状も上記取出口形成用ミシン目線に囲まれる範囲２０ａの形状と同様となる。なお、本発明においては、取出口の形状及び構造は、収納される衛生物品に応じて適宜変更できる。
【００２２】
他方、本実施形態に係るシート材３０は、前記取出口形成用ミシン目線２０により囲まれる範囲２０ａより大きく、例えば、矩形や楕円形であり、箱体上面の内面側１１ｉにおいて、特に取出口形成用ミシン目線２０の切り剥がしに影響がないように、取出口形成用ミシン目線２０に囲まれる範囲２０ａの外側で図示されない接着剤によって貼付されている。このシート材３０には、スリット３１が形成されており、このスリット３１は取出口形成用ミシン目線２０により囲まれる範囲２０ａで長手方向に沿って位置されている。したがって、図１、図３に示すとおり、取出口形成用ミシン目線２０に沿ってその取出口形成用ミシン目線２０で囲まれる範囲２０ａの一部又は全部を切り剥がすことにより、紙箱上面１１に取出口２０Ｘが形成されるとともに、前記シート材３０及びスリット３１が取出口２０Ｘを介して露出される。但し、本発明においては、シート材は、必ずしも必須ではなく、収納される衛生物品に応じて適宜その有無や構成を変更することができる。
【００２３】
他方、本実施形態に係るティシュペーパー製品１００においてシート材３０に形成されるスリット３１の長さは、適宜の長さとすることができ、既知の取出口形成用ミシン目線２０に囲まれる範囲２０ａの形状や大きさとの関係で適する長さが採用できる。
【００２４】
以上の構成の本実施形態に係る収納箱１に束として収納されているティシュペーパー２ｔ等は、図示のとおり、取出口形成用ミシン目線を裂開して取出口を形成し、前記スリット３１を介して取出口２０Ｘから一枚ずつ取り出される。そして、スリット３１により、取出口２０Ｘから露出するティシュペーパー２ｔの一部が支持されて収納箱内部に落ち込むことが防止される。
【００２５】
ここで、本実施形態にティシュペーパー製品１００では、特徴的に、前記収納箱１に係る箱体１０に収納箱外方から収納箱内へと押し込まれる押し込み部１５，１５…が形成され、その押し込み部１５，１５…の収納箱内面側に伸張又は変形可能な程度の柔軟なフィルム４０が貼付されている。
【００２６】
前記押し込み部１５，１５…は、周囲の一部１５ａを残してミシン目線１５ｂで囲まれる角取り四角形、矩形、円形、楕円形、星形等の任意の形状をなし、指１〜２本程度で押すことにより、前記ミシン目線１５ｂで切り抜かれるとともに、ミシン目線１５ｂが配されていない部分１５ａをヒンジ軸として、収納箱内部に切り抜かれた部分が押し込まれるように構成されている。図示の形態では、押し込み部１５，１５…は、角取り四角形に形成され、上面１１の四隅近傍に配されているが、押し込み部１５，１５…は必ずしも上面１１に設ける必要はなく、図８に示すように短側面１４に配してもよい。押し込み部１５，１５…を設ける面や位置は、限定されない。また、押し込み部１５，１５…の数についても必ずしも４箇所にする必要はない。
【００２７】
一方、前記押し込み部１５，１５…の収納箱内面側に貼付される芳香フィルム４０は、保護層４０ｃと香料の揮散を防止する香料バリア層４０ｂとの間に香料を含む基材層４０ａが介在され、その保護層４０ｃに基材層４０ａに至る複数のハーフスリット４１，４１…が形成されたものとなっている。なお、ハーフスリット４１，４１…の平面視の配置態様は、特に限定されず、平行線が多数配された態様、格子状態様等、適宜に配することができる。
【００２８】
そして、本実施形態では、前記芳香フィルム４０が、図２及び図５〜図７に示すように、前記保護層４０ｃが収納箱内面側に位置するようにして配され、かつ、押し込み部１５，１５…の周囲を囲むように連続的に配された接着剤４２により貼付されている。したがって、特に図６（Ａ）（Ｂ）、図７（Ａ）（Ｂ）から理解されるように、前記押し込み部１５，１５…の押し込みによって、芳香フィルム４０が収納箱内方に向かって膨出するように変形或いは伸張されるようになっている。但し、芳香フィルム４０は、必ずしもこのように接着剤を配する必要はなく、芳香フィルム４０の変形等が促されるように、少なくとものれんの如く押し込み部１５，１５…により力が加わらないような態様で貼付されていなければよく、図示はしないが、押し込み部１５，１５…を囲むように接着剤を間欠的に配して貼付してもよいし、押し込み部１５，１５…を挟んでその両側に二箇所線状に接着剤を配して貼付してもよい。
【００２９】
本実施形態のティシュペーパー製品１００では、上記押し込み部１５，１５…及び芳香フィルム４０の構成とその位置関係を採ることで、押し込み部１５，１５…の押し込みによって、図７（Ａ）（Ｂ）に示すように、芳香フィルム４０のハーフスリット４１，４１…が収納箱内面側に向けて開いて基材層４０ａが露出され、そのときから香料が収納箱内に強く揮散されるようになる。また、その押し込み部１５，１５…の押し込み具合によって、ハーフスリット４１，４１…の開き具合が調整される。すなわち、本実施形態のティシュペーパー製品１００では、押し込み部１５，１５…の押し込みによって、収納箱内部への香料の揮散具合を高める方向で調整することができる。
【００３０】
したがって、使用者が使用開始前又は使用開始後の任意の時期に押し込み部１５，１５…を押し込んで、その押し込み具合を調整することで、収納箱内部に収められたティシュペーパー２ｔへの香り付けを発揮させたり、強めたりすることができる。また、押し込み部１５，１５…を複数配置しておけば、一つの押し込み部１５による香り付け効果が低下してきた際に、他の押し込み部１５を押し込むことにより、再び香り付け効果が得られるようになる。さらに、押し込み部１５，１５…を複数配置する場合、少なくとも二つ以上の押し込み部１５の収納箱内面側の芳香フィルム４０の香料種を異なるものとしておくと、任意の押し込み部１５を押し込むことによって、異なる香りを収納箱内部に揮散させることができるようになり、香りの選択や香りの変更を行なうことができるようになる。この場合、例えば、収納箱外面に香料種が特定できるような印刷を配しておくと、使用者が香りを選択しやすくなる。
【００３１】
ここで、本実施形態に係る芳香フィルム４０についてより具体的に説明しておくと、芳香フィルムを構成する香料バリア層４０ｂは、伸張性を有する香料非透過性の樹脂製フィルム層が望ましく、特に、酸素の透過度が２００ｃｃ／ｍ2・２４ｈ／ａｔｍ未満、炭酸ガスの透過度が９００ｃｃ／ｍ2・２４ｈ／ａｔｍ未満の樹脂製フィルム層が望ましい。上記ガスの透過度を有する樹脂製フィルム層であれば、香料の揮散を好適に防止することが可能となる。
【００３２】
香料バリア層４０ｂを形成する樹脂製フィルム層として好適なものは、ポリエチレンテレフタレートフィルム層、ポリ塩化ビニリデンフィルム層、株式会社クラレ社製のエバールなどのＥＶＯＨ樹脂フィルム層（エチレン−ビニルアルコール共重合体フィルム層）、ＥＶＯＨ樹脂にスチレン系エラストマーを配合した樹脂からなるフィルム層が挙げられ、これらの中から香料との関係で保香性等を考慮して適宜選択することができる。
【００３３】
香料バリア層４０ｂの厚みは、５〜４０μｍであるのが望ましい。この範囲であれば、香料の透過を十分に防止できる。なお、本実施形態のティシュペーパー製品１００において、特に好ましい香料バリア層４０ｂは、ポリエチレンテレフタレートフィルム層である。
【００３４】
基材層４０ａは、香料を含有した薄膜の接着剤層や粘着剤層、香料を練り込んだ樹脂製フィルム層が例示できる。基材層４０ａを接着剤層等として形成する場合、例えば、天然ゴム系、天然ゴムラテックス系、アクリル系、ホットメルト系、ポリエステル系の粘着剤や接着剤を用いることができる。香料を練り込んだ樹脂製フィルムとする場合、基材樹脂は、スチレンブロックとジエンブロックを有するゴム質ブロック共重合体が望ましい。係るゴム質ブロック共重合体としては、スチレン-ブタジエン共重合体、スチレン-イソプレン共重合体、スチレン-ブタジエン-スチレン共重合体、スチレン-イソプレン-スチレン共重合体、スチレン-イソプレン-ブチレン-スチレン共重合体、スチレン-エチレン-プロピレン-スチレン共重合体、及びこれらの水素添加物が例示できる。
【００３５】
基材層中に含有させる香料としては、特に限定されない。香料としては植物の花、葉から抽出されるフローラル系のもの、動物由来のオリエンタル系のもの、柑橘系由来のフルーツ系のもの、香木から抽出されるウッディ系のものに大別されるが、そのいずれも使用することができる。合成香料も使用できる。なお、フローラル系の代表例としてはバラ、ジャスミン、スズランに係るものなどが挙げられる。オリエンタル系の代表例としてアンバーグリス、ムスク、シベット、バニラ、ミルラ、乳香に係るものなどが挙げられる。フルーツ系の代表例としてはレモン、ライム、オレンジ、ベルガモット、マンダリンなど柑橘類に由来するシトラス系のものが挙げられる。ウッディ系の代表例としては、ビャクダン、パチュリなどに係るものが例示できる。特に、フローラル系の中には、香りによって気分を和らげたり、よい睡眠が得られるなど様々な効能があると言われるハーブ系の香料があり、本実施形態では係る香料を用いることもできる。この種の香料としては、ローズヒップ、ローズマリー、ローリエ、ヒソップ 、レモンバーム、ミント、ハッカ、ジャスミン、バジリコ、オレガノ 、マジョラム 、シソ 、エゴマ 、セージ 、セイボリー、タイム 、アニス 、イノンド、ディル、アンゼリカ 、チャービル、コリアンダー、ミツバ 、フェンネル 、ロベッジ、ラビジ、パセリ 、チャイブ 、ニラ 、タラゴン 、レモンマートル、ルリジサ、ボリジ、ケッパー、レモングラス 、ゲッケイジュ、ベイリーフ、ローレル、レモンバーベナ 、オオバゲッキツ、カレーリーフ、ギシギシ、セイバ、キンレンカ、ナスタチウム 、マスティハ、セイヨウノコギリソウ、ヤロー、ムラサキバレンギク、エキナセア、エキナシア 、カモミール、ナツシロギク、フィーバーフュー 、セイヨウタンポポ、ダンデライオン 、ニガヨモギ、ワームウッド、タンジー、ヨモギギク、セイヨウフキ、バターバー、ラベンダー 、ホアハウンド 、イヌハッカ、キャットニップ 、チクマハッカ、キャットミント 、クラリセージ、オニサルビア、サンザシ、セント・ジョーンズ・ワート、セイヨウオトギリソウ、トケイソウ、パッションフラワー、ヘンルーダ 、セイヨウカノコソウ 、ゲッケイジュ、イランイランなどに係るものが挙げられる。
【００３６】
接着剤等や基剤樹脂への香料の配合割合は、香料の種類・揮発性等により定めることができるが、継続的にほのかに香気を発し、しかもコスト高とならないようにする点から、接着剤中に含有する場合には、０．５〜１５ｇ／ｍ2、特に３〜８ｇ／ｍ2、樹脂製フィルムとする場合には、基材樹脂中に１〜５０重量％の香料を配合させるようにするのがよい。
【００３７】
基材層の厚みは、５〜８０μｍである。この範囲であれば、香料を十分な量含有できる。
【００３８】
一方、保護層４０ｃは、香料弱透過性或いは香料非透過性の伸張性を有する樹脂製フィルム層が望ましく、香料非透過性とする場合には、上記香料バリア層と同様のフィルム層構成とすることができる。保護層４０ｃは、特に香料弱透過性であるのが望ましく、特に酸素の透過度が７００ｃｃ／ｍ2・２４ｈ／ａｔｍ以上、炭酸ガスの透過度が４０００ｃｃ／ｍ2・２４ｈ／ａｔｍ以上である樹脂製フィルム層が望ましい。上記ガスの透過度を有する樹脂製フィルム層であれば、基材層４０ａに含有させた香料を適度に揮散させて徐放性を発揮させることができ、継続的に安定した強さの香りを発するようにすることができる。保護層４０ｃを形成する樹脂製フィルム層として好適なものは、ポリエチレンフィルム層、ポリスチレンフィルム層、ポリプロピレンフィルム層、ポリカーボネートフィルム層が挙げられ、これらの中から香料との関係で適宜選択することができる。
【００３９】
保護層４０ｃの厚みは、２０〜１００μｍであるのが望ましい。この範囲であれば、ティシュペーパー製品１００の一般的な保管期間において香料が揮散されてしまうことがなく、また使用開始後においても十分に継続的に安定して香りを発するようにできる。  なお、本実施形態のティシュペーパー製品１００において、特に好ましい保護層は、ポリエチレンフィルム層である。
【００４０】
本実施形態に係る芳香フィルム４０は、基材層４０ａ、香料バリア層４０ｂ、保護層４０ｃを、Ｔダイ法による共押出法、押し出しラミネート法、ドライラミネート法によって積層一体化して形成することができる。また、芳香フィルム４０に対するハーフスリット４１の形成は、公知のハーフカット形成装置、ハーフスリット形成装置等を用いてフィルムに対してハーフスリットを形成する公知の技術により行なうことができる。
【００４１】
他方、本実施形態に係るティシュペーパー製品１００では、取出口２０Ｘに配されるシート材３０にも香料が付与されていてもよい。押し込み部１５，１５…との相乗の効果が得られる。このようにするならば、シート材３０は、上記芳香フィルム４０と同様の層構造のものを用いてもよいし、シート材３０の収納箱内面側に香料を塗布したものでもよい。その場合、香料をマイクロカプセルに封入して塗布してもよい。この場合、ティシュペーパー２ｔがスリット３１を介して引き出される際にマイクロカプセルが壊れてティシュペーパー２ｔに香料が付与される。このように、本発明では、シート材３０を用いた収納箱１を採用する場合に、そのシート材３０に香料が付与されていることは否定されない。なお、シート材３０は、２０〜８０μｍのポリエチレンフィルム、ポリスチレンフィルム、ポリプロピレンフィルム、ポリカーボネートフィルムが適する。
【００４２】
なお、本実施形態に係る芳香フィルム４０、シート材３０の厚みについては、ダイヤルシックネスゲージ（厚み測定器）「ＰＥＡＣＯＣＫ Ｇ型」（尾崎製作所製）を用いて５回測定した平均値とする。
【００４３】
他方、本実施形態に係るティシュぺーパー製品１００は、前記ティシュペーパー束２の構成が、方形のティシュペーパー２ｔが実質的に二つ折りされ、その折り返し片の縁が上下に隣接するティシュペーパー２ｔの折り返し内面に位置するようにして、互い違いに重なり合いつつ積層されたものとなっている。この積層構造のティシュペーパー束２は、最上位に位置する一枚の折り返し片を上方に引き上げると、その直下で隣接する他の一枚の折り返し片が、摩擦により上方に引きずられて持ち上げられるようになっており、前記取出口２０Ｘ、特にスリット３１から最初の一組（最上面に位置する一組）が引き出されたときに、その直近下方に位置する他の一組の一部が露出されるようになっている。なお、本発明におけるティシュペーパー２ｔの積層枚数は限定されないが、この種の製品の一般的な積層枚数を例示すれば、１２０〜２４０組である。このティシュペーパー束２は、マルチスタンド式、ロータリー式の既知のインターフォルダにより製造することができる。
【００４４】
なお、ティシュペーパー束２を構成するティシュペーパー２ｔは、２枚〜３枚の薄葉紙が積層されたプライ構造を有する公知のものが利用できる。
【００４５】
以上、本発明の実施形態をティシュペーパー製品を例に説明したが、本発明は、このティシュペーパー製品に限らず、例えば、化粧パフ、コットン、不織布シート、ワイプ等の繊維性の衛生物品を収納箱に収納したものとすることができる。
【符号の説明】
【００４６】
１００…ティシュペーパー製品、２…ティシュペーパー束、２ｔ…ティシュペーパー、１１…収納箱（紙箱）上面、２０…取出口形成用ミシン目線、１１ｉ…収納箱（紙箱）上面の内側面、１…収納箱、２０ａ…取出口形成用ミシン目線で囲まれる範囲、２０Ｘ…取出口、３０…シート材、１０…箱体、１２…収納箱（紙箱）底面、１２Ａ…糊代部、１３Ａ，１３Ｂ…収納箱（紙箱）長側面、１４…収納箱（紙箱）短側面、１５…押し込み部、１５ａ…ミシン目線が形成されていない部分、１５ｂ…ミシン目線、Ｆ…フラップ、２１…取出口形成用ミシン目線の長辺、２２…取出口形成用ミシン目線の短辺、３１…スリット、４０…芳香フィルム、４０ａ…基材層、４０ｂ…香料バリア層、４０ｃ…保護層、４１…ハーフスリット、４２…接着剤、Ｌ１…収納箱の長手縁、Ｌ２…収納箱の短手縁、Ｌ３…収納箱の高さ。
【図１】
2014198591.tif 000003
【図２】
2014198591.tif 000004
【図３】
2014198591.tif 000005
【図４】
2014198591.tif 000006
【図５】
2014198591.tif 000007
【図６】
2014198591.tif 000008
【図７】
2014198591.tif 000009
【図８】
2014198591.tif 000010